(57)【要約】【課題】主に、被覆材の貼着の有無に拘らず、同じインストルメントパネルと空調グリル部品とが、そのまま使用可能となるようにする。【解決手段】第一の係止面設定部２８が、通常仕様の場合に、第一の係止部材２６と対応する通常用第一係止面３５と、インストルメントパネル１の表面１８に被覆材３４を貼着する貼着仕様の場合に、第二の係止部材２７と対応する貼着用第二係止面３６とを二段に有すると共に、第二の係止面設定部２９が、通常仕様の場合に、第二の係止部材２７と対応する通常用第二係止面３７と、インストルメントパネル１の表面１８に被覆材３４を貼着する貼着仕様の場合に、第一の係止部材２６と対応する貼着用第一係止面３８とを二段に有するようにしている。【選択図】図２
2010095183.tif 000002
【特許請求の範囲】
【請求項１】
インストルメントパネルに、空調グリル部品を取付可能なグリル部品取付部が設けられ、
空調グリル部品が、入側風路部と、該入側風路部に対して張出す出側枠部とを有し、
グリル部品取付部が、入側風路部を挿通配置可能な貫通穴部と、出側枠部を収容配置可能な枠部用凹部とを備え、
枠部用凹部の底壁部に、空調グリル部品に対する当面部が設定され、
貫通穴部の奥方と入側風路部との間に、空調グリル部品を係止保持可能な被係止部と係止部とを有する空調グリル部品取付構造において、
係止部が、入側風路部に対称的に備えられると共に、奥行方向に対する係止位置と、係止用張出代とが、共に異なる二種類の係止部材を有し、
被係止部が、貫通穴部の奥方に、二種類の係止部材と対応する二箇所の係止面設定部を備え、
第一の係止面設定部が、通常仕様の場合に、第一の係止部材と対応する通常用第一係止面と、インストルメントパネルの表面に被覆材を貼着する貼着仕様の場合に、第二の係止部材と対応する貼着用第二係止面とを二段に有すると共に、
第二の係止面設定部が、通常仕様の場合に、第二の係止部材と対応する通常用第二係止面と、貼着仕様の場合に、第一の係止部材と対応する貼着用第一係止面とを二段に有することを特徴とする空調グリル部品取付構造。
【請求項２】
二種類の係止部材が、入側風路部に対して、選択的に取付可能に設けられたことを特徴とする請求項１記載の空調グリル部品取付構造。
【請求項３】
二種類の係止部材が、入側風路部の少なくとも一部と共に、反転配置可能に設けられたことを特徴とする請求項１記載の空調グリル部品取付構造。
【発明の詳細な説明】
【技術分野】
【０００１】
この発明は、空調グリル部品取付構造に関するものである。
【背景技術】
【０００２】
自動車などの車両には、車室内の前部にインストルメントパネルが設けられている。このインストルメントパネルには、通常、空調用エアの吹出口となる空調グリル部品が取付けられている（例えば、特許文献１参照）。
【０００３】
そのために、インストルメントパネルには、空調グリル部品を取付可能なグリル部品取付部が設けられる。
【０００４】
ここで、空調グリル部品は、入側風路部と、入側風路部に対して張出す出側枠部とを有している。一方、グリル部品取付部は、入側風路部を挿通配置可能な貫通穴部と、出側枠部を収容配置可能な枠部用凹部とを備えている。
【０００５】
そして、枠部用凹部の底壁部には、空調グリル部品に対する当面部が設定される。
【０００６】
また、貫通穴部の奥方と入側風路部との間には、グリル部品取付部に対して空調グリル部品を係止保持可能な係止固定部が設けられる。
【０００７】
この係止固定部は、貫通穴部の奥方に設けられた被係止部と、入側風路部に設けられた係止部とをそれぞれ有している。
【特許文献１】特開２００４−３５１７１４
【発明の開示】
【発明が解決しようとする課題】
【０００８】
車種によっては、インストルメントパネルの表面に対して、本革などの被覆材を貼着して高級感を演出する仕様が設定される場合がある。被覆材には、１ｍｍ〜１．５ｍｍ程度の厚みがあるため、単純に被覆材を貼着した場合には、枠部用凹部の底壁部における当面部の位置が、被覆材の対応する端末部の厚み分だけ手前側へ変位してしまい、係止固定部による固定がうまく行かなくなってしまう。
【０００９】
そこで、従来は、本革などの被覆材を貼着する貼着仕様と、貼着しない通常仕様とで、発泡型を変えて調整したり、インストルメントパネルの表面に厚さ寸法の異なる表皮材を使用して調整したり、表皮材を後から削って厚みを変えるなどしたり、大きさの異なる空調グリル部品を使用したりするなどして、造り分けを行うようにしていた。
【００１０】
しかし、このように、仕様によって造り分けを行うようにすると、コストや手間がかかるという問題があった。
【課題を解決するための手段】
【００１１】
上記課題を解決するために、請求項１に記載された発明では、インストルメントパネルに、空調グリル部品を取付可能なグリル部品取付部が設けられ、空調グリル部品が、入側風路部と、該入側風路部に対して張出す出側枠部とを有し、グリル部品取付部が、入側風路部を挿通配置可能な貫通穴部と、出側枠部を収容配置可能な枠部用凹部とを備え、枠部用凹部の底壁部に、空調グリル部品に対する当面部が設定され、貫通穴部の奥方と入側風路部との間に、空調グリル部品を係止保持可能な被係止部と係止部とを有する空調グリル部品取付構造において、
係止部が、入側風路部に対称的に備えられると共に、奥行方向に対する係止位置と、係止用張出代とが、共に異なる二種類の係止部材を有し、被係止部が、貫通穴部の奥方に、二種類の係止部材と対応する二箇所の係止面設定部を備え、第一の係止面設定部が、通常仕様の場合に、第一の係止部材と対応する通常用第一係止面と、インストルメントパネルの表面に被覆材を貼着する貼着仕様の場合に、第二の係止部材と対応する貼着用第二係止面とを二段に有すると共に、第二の係止面設定部が、通常仕様の場合に、第二の係止部材と対応する通常用第二係止面と、貼着仕様の場合に、第一の係止部材と対応する貼着用第一係止面とを二段に有することを特徴としている。
【００１２】
請求項２に記載された発明では、二種類の係止部材が、入側風路部に対して、選択的に取付可能に設けられた請求項１記載の空調グリル部品取付構造を特徴としている。
【００１３】
請求項３に記載された発明では、二種類の係止部材が、入側風路部の少なくとも一部と共に、反転配置可能に設けられた請求項１記載の空調グリル部品取付構造を特徴としている。
【発明の効果】
【００１４】
請求項１の発明によれば、上記した構成により、以下のような作用効果を得ることができる。即ち、被覆材の貼着の有無に拘らず、同じインストルメントパネルと空調グリル部品とが、二種類の係止部材を使い分けるだけでそのまま使用可能となるので、被覆材の有無による仕様上の造り分けが必要なくなり、コストや手間を抑えることができる。これによって、発泡型を変えたり、厚さ寸法の異なる表皮材を使用したり、表皮材を削って厚味を変えたり、大きさの異なる空調グリル部品を使用したりするなどの必要をなくすことができる。
【００１５】
請求項２の発明によれば、二種類の係止部材が、入側風路部に対して、選択的に取付可能に設けられたことにより、係止部材を相互に付替えるだけで、空調グリル部品全体を反転取付けすることなく、被覆材の貼着の有無に対応することができる。
【００１６】
請求項３の発明によれば、二種類の係止部材が、入側風路部の少なくとも一部と共に、反転配置可能に設けられたことにより、入側風路部の少なくとも一部を反転させて係止部材を入替えるだけで、空調グリル部品全体を反転取付けすることなく、被覆材の貼着の有無に対応することができる。
【発明を実施するための最良の形態】
【００１７】
以下、本発明を具体化した実施例について、図示例と共に説明する。
【実施例】
【００１８】
図１〜図８は、この発明の実施例を示すものであり、図９〜図１２および、図１３〜図１６は、それぞれ変形例を示すものである。
【００１９】
まず、構成について説明する。
【００２０】
自動車などの車両には、図１に示すように、車室内の前部にインストルメントパネル１が設けられている。このインストルメントパネル１には、通常、空調用エアの吹出口となる空調グリル部品２が取付けられている。
【００２１】
そのために、インストルメントパネル１には、空調グリル部品２を取付可能なグリル部品取付部３が設けられる。
【００２２】
この場合、図２に示すように、インストルメントパネル１は、芯材５と表皮材６と発泡層７とを有する三層構造のものとされている。このような三層構造のインストルメントパネル１は、芯材５と表皮材６とがセットされた図示しない発泡成形装置の発泡型内に発泡剤（薬液）を注入して、芯材５と表皮材６との間に発泡層７を発泡形成することによって一体物となるように製造されている。
【００２３】
また、空調グリル部品２は、入側風路部１１と、この入側風路部１１に対して張出す出側枠部１２とを有している。空調グリル部品２の内部には、風向調整装置としてのルーバー（縦ルーバー、横ルーバー）などが設置されている。一方、グリル部品取付部３は、入側風路部１１を挿通配置可能な貫通穴部１４と、出側枠部１２を収容配置可能な枠部用凹部１５とを備えている。この場合、出側枠部１２は、入側風路部１１に対してフランジ状に張出されている。
【００２４】
ここで、空調グリル部品２は、角型のものとされている。これに対応させてグリル部品取付部３も角型のものとされている。そして、貫通穴部１４と枠部用凹部１５とは、それぞれ、入側風路部１１および出側枠部１２とほぼ対応可能な大きさや形状や位置関係などを備えている。なお、空調グリル部品２は角型に限るものではなく、丸型などとしても良い。また、空調グリル部品２は、通常、樹脂などで構成されている。
【００２５】
この場合、枠部用凹部１５は、芯材５と発泡層７と表皮材６とを、全体の厚みがほとんど変わることのないように奥側へ凹ませることによって、三層構造を保持した状態で形成されている。
【００２６】
そして、貫通穴部１４は、枠部用凹部１５の底壁部１６に形成されている。よって、貫通穴部１４は、芯材５と発泡層７と表皮材６との断面が剥き出しになったものとされる。また、底壁部１６は、貫通穴部１４の縁部などとなる。なお、この底壁部１６は、インストルメントパネル１の表面１８とほぼ平行なものとされる。この場合、底壁部１６の表面は、表皮材６とされる。
【００２７】
これに対応させて、出側枠部１２は、枠部用凹部１５に設置した時に、その表面１８がインストルメントパネル１（この場合には、表皮材６）の表面１８とほぼ面一になるように、枠部用凹部１５の段差量とほぼ等しい厚さ寸法などを備えている。なお、入側風路部１１の奥端部には、図示しない空調ダクトが接続されるようになっている。
【００２８】
そして、枠部用凹部１５の底壁部１６には、空調グリル部品２に対する当面部１９が設定される。この当面部１９は、グリル部品取付部３に対する空調グリル部品２の挿入量を規制したり、手付剛性を確保したりするなどのためのものである。この当面部１９に対し、出側枠部１２の裏面が当接される。この場合、当面部１９は、上記したように、表皮材６とされる。
【００２９】
また、貫通穴部１４の奥方と入側風路部１１との間には、グリル部品取付部３に対して空調グリル部品２を係止保持可能な係止固定部２１が設けられる。
【００３０】
この係止固定部２１は、貫通穴部１４の奥方に設けられた被係止部２２と、入側風路部１１に設けられた係止部２３とをそれぞれ有している。
【００３１】
なお、以上の構成は、後述する各変形例においても共通のものである。
【００３２】
この実施例のものでは、係止部２３が、入側風路部１１に対称的に備えられた二種類の係止部材２６，２７（第一の係止部材２６、第二の係止部材２７）を有している。
【００３３】
この二種類の係止部材２６，２７は、奥行方向２５に対する係止位置（ａ，ｂおよびａ’，ｂ’）と、（入側風路部１１からの）係止用張出代（ｃ，ｄ）とが、共に異なるものとされている（ａ＞ｂ、ａ’＞ｂ’、ａ＞ａ’、ｂ、＞ｂ’、ｃ＞ｄ）。
【００３４】
この場合、二種類の係止部材２６，２７は、上下方向に対して対称的に設けられているが、左右方向に対して対称的に設けられるようにしても良い（なお、以下は、上下対称の場合について説明するものとし、左右対称この場合には、以下を左右用に読み変えるものとする）。
【００３５】
この二種類の係止部材２６，２７は、それぞれ、バネ鋼などによって形成された、図示のような形状の金属爪などとされている。この金属爪（係止部材２６，２７）は、入側風路部１１の上下面における両側部近傍にそれぞれ二個ずつ、合計４個取付けられている（図１参照）。
【００３６】
これに伴い、空調グリル部品２（または、少なくとも入側風路部１１の一部）も、必要に応じて、対称的な形状とする。この場合には、二種類の係止部材２６，２７が、上下方向に対して対称的に設けられているので、空調グリル部品２（または、少なくとも入側風路部１１の一部）も、上下方向に対して対称的な形状となるようにする。
【００３７】
一方、被係止部２２は、貫通穴部１４の奥方に、上記した二種類の係止部材２６，２７と対応する二箇所の係止面設定部２８，２９（第一の係止面設定部２８、第二の係止面設定部２９）をそれぞれ備えている。
【００３８】
この場合、係止面設定部２８，２９は、インストルメントパネル１の裏面側に設けられた、張出部３１，３２などに設定されている（図３、図４も併せて参照）。この張出部３１，３２は、芯材５の裏面側に対して一体に突設形成されている。この場合、張出部３１，３２は、貫通穴部１４の上下の辺部に沿ってほぼ面直に庇状に設けられている。なお、必要に応じて、この張出部３１，３２の外面側と芯材５の裏面側とのコーナー部分に対し、補強リブ３３などを適宜設けても良い。この補強リブ３３は、ほぼ三角形状をしていると共に、所要の間隔（この場合には、左右方向に）を有して複数設けられるようにしている。
【００３９】
そして、第一の係止面設定部２８は、通常仕様の場合、即ち、インストルメントパネル１の表面１８に対して被覆材３４（図５、図６参照。以下同様）を貼着しない場合に、第一の係止部材２６と対応する通常用第一係止面３５と、インストルメントパネル１の表面１８に被覆材３４を貼着する貼着仕様の場合に、第二の係止部材２７と対応する貼着用第二係止面３６とを二段に有している。
【００４０】
また、第二の係止面設定部２９は、通常仕様の場合に、第二の係止部材２７と対応する通常用第二係止面３７と、貼着仕様の場合に、第一の係止部材２６と対応する貼着用第一係止面３８とを二段に有している。
【００４１】
この場合、通常用第一係止面３５および貼着用第一係止面３８は、通常用第二係止面３７および貼着用第二係止面３６に対し、奥側で且つ貫通穴部１４の縁部から離れた位置（外側）に設定されている。また、通常用第一係止面３５は、被覆材３４の厚み分だけ貼着用第一係止面３８よりも奥側に位置している。同様に、通常用第二係止面３７は、被覆材３４の厚み分だけ貼着用第二係止面３６よりも奥側に位置している。
【００４２】
なお、インストルメントパネル１の表面１８に被覆材３４を貼着する貼着仕様の場合には、底壁部１６の表面の当面部１９は、被覆材３４となる。
【００４３】
更に、必要に応じて、枠部用凹部１５の内側壁部に、手前拡がりのテーパ部４１（傾斜状段差部）を設けるようにする。これに対応させて、出側枠部１２の外側面の少なくとも手前側部分における、テーパ部４１の手前側部分などと対応する位置に、手前拡がりのテーパ部４２を設けるようにする。なお、テーパ部４２は、テーパ部４１と角度を等しくして、互いに接するようなものとするか、或いは、テーパ部４１よりも鋭角として、奥側へ進むに従い離間して行くようなものなどとする。この場合には、鋭角として離間されるようにしている。また、出側枠部１２の外側面の奥側部分における、テーパ部４１の奥側部分と対応する位置には、段差部４３が形成されている。
【００４４】
なお、以上の特徴部分の構成は、後述する各変形例においても共通のものである。
【００４５】
そして、図１〜図８の実施例の場合には、二種類の係止部材２６，２７は、入側風路部１１に対して、着脱などができないように予め組付けられた状態とされている。即ち、二種類の係止部材２６，２７は、インストルメントパネル１が通常仕様か貼着仕様かが分かる前の段階で入側風路部１１に組付けられることにより、空調グリル部品２の一部として提供される（一体部品構成）。
【００４６】
この場合には、空調グリル部品２は、全体を上下方向に対して対称的な形状としておく必要がある。なお、図７、図８では、出側枠部１２の表面に、シャットダイヤル４５が設けられている。このシャットダイヤル４５については、上下方向に対して対称的な配置としなくても良い。
【００４７】
これに対し、図９〜図１２に示すように、二種類の係止部材２６，２７が、入側風路部１１に対して、選択的に取付可能に設けられるようにしても良い。
【００４８】
即ち、二種類の係止部材２６，２７は、インストルメントパネル１が通常仕様か貼着仕様かが分かった段階で、入側風路部１１に選択的に後付けできるように、空調グリル部品２とは、別部品として提供される（別部品構成）。
【００４９】
この場合には、空調グリル部品２自体は、対称的な形状とする必要はないが、入側風路部１１に対する係止部材２６，２７の取付部４６については、対称的に設けておく必要がある。そして、上記取付部４６は、例えば、入側風路部１１から突設されたカシメピン４７と、このカシメピン４７に対応させて係止部材２６，２７に設けられたカシメ用孔部４８とを有して、後付けが容易な熱カシメ部４９などとされている。
【００５０】
なお、取付部４６は、係止部材２６，２７のそれぞれに対して専用に設けるようにしても良いが、この場合には、共用化するようにしている。そして、共用化するために、入側風路部１１の上下面で、カシメピン４７の位置を奥行方向２５に対し被覆材３４の厚み分だけズラせて設けるようにすると共に、係止部材２６，２７の基部２６ａ，２７ａを、それぞれカシメピン４７の位置に合うような長さに予め調整・設定して、その端部などにカシメ用孔部４８を形成するようにしている。
【００５１】
或いは、図１３〜図１６に示すように、二種類の係止部材２６，２７が、入側風路部１１の少なくとも一部と共に、反転配置可能に設けられるようにしても良い。
【００５２】
即ち、入側風路部１１を、例えば、内部のルーバー等設置部５１よりも奥側の部分で、奥行方向２５に分割し、入側風路部１１の奥側部分５２に対して、二種類の係止部材２６，２７を着脱などができないように予め組付けるようにし、入側風路部１１の手前側部分５３は、出側枠部１２に一体形成しておくようにする。そして、奥側部分５２と手前側部分５３との間に、連結可能な連結部５４を設けるようにする。即ち、二種類の係止部材２６，２７が取付けられた入側風路部１１の奥側部分５２と、出側枠部１２に一体化された入側風路部１１の手前側部分５３とは、インストルメントパネル１が通常仕様か貼着仕様かが分かった段階で連結できるように、別部品として提供される（二部品構成）。但し、これらは、予め連結した状態に組付けておいて、組付直すようにしても良い。
【００５３】
この場合、空調グリル部品２については、出側枠部１２（手前側部分５３を含む）の部分は、連結部５４の周辺形状以外は、対称的な形状とする必要はないが、入側風路部１１の奥側部分５２については、対称的に設けておく必要がある。
【００５４】
この場合、連結部５４は、その一方（この場合には、手前側部分５３の対応する端部とされている）に、他方（この場合には、奥側部分５２の対応する端部とされている）に対して摺接状態で内嵌可能なインロー式嵌合部５５を形成したものとしている。そして、このインロー式嵌合部５５に係止用爪部５６を設けると共に、連結部５４の他方の対応する位置に、係止用爪部５６が係止可能な係止孔部５７を設けるようにしている。なお、奥側部分５２と手前側部分５３とは、連結状態で、その外周面がほぼ面一となるように設定するのが好ましい。
【００５５】
次に、この実施例の作用について説明する。
【００５６】
インストルメントパネル１のグリル部品取付部３に対する空調グリル部品２の取付けは、グリル部品取付部３に対し、空調グリル部品２を、手前側から奥方へ向け、当面部１９に当たるまで挿入し、空調グリル部品２とグリル部品取付部３との間に設けられ係止固定部２１を係止・固定させることによって行われる。
【００５７】
この際、図１〜図４に示すように、被覆材３４が貼着されていないインストルメントパネル１の場合には、枠部用凹部１５の底壁部１６が、出側枠部１２の裏面に対する当面部１９となる。
【００５８】
そして、グリル部品取付部３に対し、空調グリル部品２が、係止固定部２１の被係止部２２と係止部２３とによって、係止保持される。
【００５９】
即ち、係止部２３における第一の係止部材２６を、被係止部２２における第一の係止面設定部２８の通常用第一係止面３５に係止させると共に、第二の係止部材２７を、第二の係止面設定部２９の通常用第二係止面３７に係止させるようにする。
【００６０】
以上は、インストルメントパネル１の表面１８に被覆材３４を貼着しない通常仕様の場合である。
【００６１】
これに対し、インストルメントパネル１の表面１８に被覆材３４を貼着する貼着仕様の場合には、図５、図６に示すように、インストルメントパネル１の一般部分や枠部用凹部１５などに被覆材３４を貼着する。すると、枠部用凹部１５の底壁部１６の当面部１９の位置が、被覆材３４の厚み分だけ手前側に変位することになる。
【００６２】
そこで、被覆材３４が貼着されていない場合と同じ空調グリル部品２を、（この場合には、上下方向に対し）反転させてグリル部品取付部３に取付けるようにする。
【００６３】
すると、係止部２３における第一の係止部材２６が、被係止部２２における貼着用第一係止面３８に係止されると共に、第二の係止部材２７が、第二の係止面設定部２９の貼着用第二係止面３６に係止されるようになる。
【００６４】
これにより、同じ空調グリル部品２を支障なく取付けることが可能となる。なお、図７、図８に示すように、出側枠部１２の表面に、シャットダイヤル４５が設けられている場合には、（上下方向に）反転させると共に、更に、左右を逆にして取付けるようにすれば、シャットダイヤル４５の位置を同じに保つことが可能となる。
【００６５】
また、図９〜図１１の場合には、通常仕様の場合と貼着仕様の場合とに合わせて、第一の係止部材２６と第二の係止部材２７とを、入側風路部１１に対して、選択的に取付けるようにすれば良い。
【００６６】
更に、図１２〜図１６の場合には、通常仕様の場合と貼着仕様の場合とに合わせて、第一の係止部材２６と第二の係止部材２７とを、入側風路部１１の少なくとも一部と共に、反転配置させるようにすれば良い。
【００６７】
このように、この実施例によれば、インストルメントパネル１に、空調グリル部品２を取付可能なグリル部品取付部３が設けられ、空調グリル部品２が、入側風路部１１と、入側風路部１１に対して張出す出側枠部１２とを有し、グリル部品取付部３が、入側風路部１１を挿通配置可能な貫通穴部１４と、出側枠部１２を収容配置可能な枠部用凹部１５とを備え、枠部用凹部１５の底壁部１６に、空調グリル部品２に対する当面部１９が設定され、貫通穴部１４の奥方と入側風路部１１との間に、空調グリル部品２を係止保持可能な被係止部２２と係止部２３とを有する空調グリル部品２取付構造において、係止部２３が、入側風路部１１に対称的に備えられると共に、奥行方向２５に対する係止位置（ａ，ｂおよびａ’，ｂ’）と、係止用張出代（ｃ，ｄ）とが、共に異なる二種類の係止部材２６，２７を有し、被係止部２２が、貫通穴部１４の奥方に、二種類の係止部材２６，２７と対応する二箇所の係止面設定部２８，２９を備え、第一の係止面設定部２８が、通常仕様の場合に、第一の係止部材２６と対応する通常用第一係止面３５と、インストルメントパネル１の表面１８に被覆材３４を貼着する貼着仕様の場合に、第二の係止部材２７と対応する貼着用第二係止面３６とを二段に有すると共に、第二の係止面設定部２９が、通常仕様の場合に、第二の係止部材２７と対応する通常用第二係止面３７と、貼着仕様の場合に、第一の係止部材２６と対応する貼着用第一係止面３８とを二段に有することにより、以下のような作用効果を得ることができる。
【００６８】
即ち、被覆材３４の貼着の有無に拘らず、同じインストルメントパネル１と空調グリル部品２とが、二種類の係止部材２６，２７を使い分けるだけでそのまま使用可能となるので、被覆材３４の貼着の有無による仕様上の造り分けが必要なくなり、コストや手間を抑えることができる。これによって、発泡型を変えたり、厚さ寸法の異なる表皮材６を使用したり、表皮材６を削って厚味を変えたり、大きさの異なる空調グリル部品２を使用したりするなどの必要をなくすことができる。
【００６９】
また、図９〜図１１に示すように、二種類の係止部材２６，２７が、入側風路部１１に対して、選択的に取付可能に設けられたことにより、係止部材２６，２７を相互に付替えるだけで、空調グリル部品２全体を反転取付けすることなく、被覆材３４の貼着の有無に対応することができる。
【００７０】
そして、図１２〜図１６に示すように、二種類の係止部材２６，２７が、入側風路部１１の少なくとも一部と共に、反転配置可能に設けられたことにより、入側風路部１１の少なくとも一部を反転させて係止部材２６，２７を入替えるだけで、空調グリル部品２全体を反転取付けすることなく、被覆材３４の貼着の有無に対応することができる。
【００７１】
以上、この発明の実施例を図面により詳述してきたが、実施例はこの発明の例示にしか過ぎないものであるため、この発明は実施例の構成にのみ限定されるものではなく、この発明の要旨を逸脱しない範囲の設計の変更等があってもこの発明に含まれることは勿論である。また、例えば、各実施例に複数の構成が含まれている場合には、特に記載がなくとも、これらの構成の可能な組合せが含まれることは勿論である。また、複数の実施例や変形例が示されている場合には、特に記載がなくとも、これらに跨がった構成の組合せのうちの可能なものが含まれることは勿論である。また、図面に描かれている構成については、特に記載がなくとも、含まれることは勿論である。
【図面の簡単な説明】
【００７２】
【図１】本発明の実施例にかかる空調グリル部品取付構造を手前側から見た図である。
【図２】図１の縦断面図である。
【図３】図２の被係止部を裏面側から見た斜視図である。
【図４】図３を裏面側から見た図である。
【図５】被覆材を貼着した場合の図１と同様の図である。
【図６】図１の縦断面図である。
【図７】シャットダイヤルを有する変形例を示す図２と同様の図である。
【図８】シャットダイヤルを有する変形例を示す図５と同様の図である。
【図９】二種類の係止部材を選択的に取付可能とした変形例を示す空調グリル部品の側面図である。
【図１０】図９の部分拡大図である。
【図１１】図９の空調グリル部品を取付けた空調グリル部品取付構造における入側風路部の上面部分の横断面図である。
【図１２】図９の空調グリル部品を取付けた空調グリル部品取付構造における入側風路部の下面部分の横断面図である。
【図１３】二種類の係止部材を入側風路部の少なくとも一部と共に反転配置可能とした変形例を示す空調グリル部品の縦断面図である。
【図１４】図１３の部分拡大図である。
【図１５】図１３の空調グリル部品を取付けた空調グリル部品取付構造における図１１と同様の図である。
【図１６】図１３の空調グリル部品を取付けた空調グリル部品取付構造における図１２と同様の図である。
【符号の説明】
【００７３】
１    インストルメントパネル
２    空調グリル部品
３    グリル部品取付部
１１  入側風路部
１２  出側枠部
１４  貫通穴部
１５  枠部用凹部
１６  底壁部
１８  表面
１９  当面部
２２  被係止部
２３  係止部
２５  奥行方向
２６  （第一の）係止部材
２７  （第二の）係止部材
２８  （第一の）係止面設定部
２９  （第二の）係止面設定部
３４  被覆材
３５  通常用第一係止面
３６  貼着用第二係止面
３７  通常用第二係止面
３８  貼着用第一係止面
【図１】
2010095183.tif 000003
【図２】
2010095183.tif 000004
【図３】
2010095183.tif 000005
【図４】
2010095183.tif 000006
【図５】
2010095183.tif 000007
【図６】
2010095183.tif 000008
【図７】
2010095183.tif 000009
【図８】
2010095183.tif 000010
【図９】
2010095183.tif 000011
【図１０】
2010095183.tif 000012
【図１１】
2010095183.tif 000013
【図１２】
2010095183.tif 000014
【図１３】
2010095183.tif 000015
【図１４】
2010095183.tif 000016
【図１５】
2010095183.tif 000017
【図１６】
2010095183.tif 000018